(57)【要約】【課題】情報処理装置のセキュリティを向上させる。【解決手段】情報処理装置１００は、ユーザに提供される機能の一部が制限されたロック状態において、表示装置１７０に表示される表示情報と、ロック状態を解除するために必要な装置本体の姿勢及び動きの一方又は両方との関係を定める決定ルールを設定する設定部１２２と、ロック状態において、所定の操作が検出される度に、表示情報と決定ルールとに基づいて、ロック状態を解除するための条件であって装置本体の姿勢及び動きの一方又は両方を規定する第１解除条件を決定する決定部１２４と、ロック状態において、所定の操作後の情報処理装置１００の姿勢及び動きの一方又は両方が第１解除条件を充足し、且つ、情報処理装置１００に対する入力が予め設定された第２解除条件を充足する場合に、ロック状態を解除する解除部１２８とを、備える。【選択図】図１
2020119418.tif 000002
【特許請求の範囲】
【請求項１】
ユーザに提供される機能の一部が制限されたロック状態において、表示部に表示される表示情報と、前記ロック状態を解除するために必要な装置本体の姿勢及び動きの一方又は両方との関係を定める決定ルールを設定する設定部と、
前記ロック状態において、所定の操作が検出される度に、前記表示情報と前記決定ルールとに基づいて、前記ロック状態を解除するための条件であって前記装置本体の姿勢及び動きの一方又は両方を規定する第１解除条件を決定する決定部と、
前記ロック状態において、前記所定の操作後の前記装置本体の姿勢及び動きの一方又は両方が前記第１解除条件を充足し、且つ、前記装置本体に対する入力が予め設定された第２解除条件を充足する場合に、前記ロック状態を解除する解除部とを、
備える情報処理装置。
【請求項２】
前記第１解除条件の決定に使用される前記表示情報は、時刻、日付け、前記装置本体に設けられたバッテリーの残量、及び前記装置本体で受信する電波の強度の一部又は全部を含む請求項１に記載の情報処理装置。
【請求項３】
前記決定ルールは、前記表示情報に基づいて、前記装置本体の複数の姿勢の中から、一の姿勢を決定する方法である、請求項２に記載の情報処理装置。
【請求項４】
前記設定部は、
前記時刻に基づく数値を第１演算に適用して得られる結果と前記複数の姿勢のうちいずれか一の姿勢とを対応させた第１の候補ルールと、
前記日付けに基づく数値を第２演算に適用して得られる結果と前記複数の姿勢のうちいずれか一の姿勢とを対応させた第２の候補ルールと、
前記バッテリーの残量に基づく数値を第３演算に適用して得られる結果と前記複数の姿勢のうちいずれか一の姿勢とを対応させた第３の候補ルールと、
のうちの少なくとも１つを含む複数の候補ルールの中から選択された候補ルールを、前記決定ルールとして設定する、
請求項３に記載の情報処理装置。
【請求項５】
前記決定ルールは、前記表示情報に基づいて、前記装置本体が振られる回数を決定する方法である、請求項２に記載の情報処理装置。
【請求項６】
前記設定部は、
前記時刻のうちの分を示す数値の一の位の数を前記回数とする第４の候補ルールと、前記日付けのうちの日を示す数値の一の位の数を前記回数とする第５の候補ルールと、前記バッテリーの残量を示す数値の一の位の数を前記回数とする第６の候補ルールとのうちの少なくとも１つを含む複数の候補ルールの中から選択された候補ルールを、前記決定ルールとして設定する、請求項５に記載の情報処理装置。
【請求項７】
前記決定ルールは、前記表示情報に基づいて、前記装置本体の複数の姿勢の中から一の姿勢と前記装置本体が振られる回数との組を決定する方法である、請求項１に記載の情報処理装置。
【請求項８】
前記決定ルールは、前記表示情報に含まれる複数の表示要素のうち一の表示要素に基づいて、前記装置本体の複数の姿勢の中から一の姿勢を決定し、且つ、前記複数の表示要素のうち前記一の表示要素と異なる表示要素に基づいて、前記装置本体が振られる回数を決定する方法である、請求項７に記載の情報処理装置。
【発明の詳細な説明】
【技術分野】
【０００１】
本発明は、情報処理装置のロック解除に関する。
【背景技術】
【０００２】
スマートフォン等の情報処理装置では、通常、情報処理装置を所有するユーザ以外が使用できないように、ユーザに提供する機能を制限するロック機能が搭載される。ロック状態を解除する方法として、情報処理装置のパッチパネルに９個のマークを表示し、指でタッチパネルをタッチした軌跡が予め定められたパターンである場合にロック状態を解除する方法が知られている。特許文献１には、ユーザがロック状態の解除を試みる度に、パターンを指定する際の上方向を順次又はランダムに切り替える方法が開示されている。
【先行技術文献】
【特許文献】
【０００３】
【特許文献１】特開２０１３−１６１１５号公報
【発明の概要】
【発明が解決しようとする課題】
【０００４】
しかし、情報処理装置の所有者以外の第三者はパターンを指定する際の上方向を視認可能であるため、盗み見等によりロック解除に用いるパターンが第三者に知られる可能性がある。したがって、従来の技術では、第三者にパターンを知られた場合に、第三者によってロック解除される危険性がある。
【課題を解決するための手段】
【０００５】
以上の課題を解決するために、本発明の好適な態様に係る情報処理装置は、ユーザに提供される機能の一部が制限されたロック状態において、表示部に表示される表示情報と、前記ロック状態を解除するために必要な装置本体の姿勢及び動きの一方又は両方との関係を定める決定ルールを設定する設定部と、前記ロック状態において、所定の操作が検出される度に、前記表示情報と前記決定ルールとに基づいて、前記ロック状態を解除するための条件であって前記装置本体の姿勢及び動きの一方又は両方を規定する第１解除条件を決定する決定部と、前記ロック状態において、前記所定の操作後の前記情報処理装置の姿勢及び動きの一方又は両方が前記第１解除条件を充足し、且つ、前記情報処理装置に対する入力が予め設定された第２解除条件を充足する場合に、前記ロック状態を解除する解除部とを、備える。
【発明の効果】
【０００６】
本発明によれば、情報処理装置のセキュリティを向上させることができる。
【図面の簡単な説明】
【０００７】
【図１】本発明の実施形態に係る情報処理装置の全体構成を示すブロック図である。
【図２】情報処理装置のロック状態における概観を示す平面図である。
【図３】慣性センサーの概要を説明するための説明図である。
【図４】ロック状態の解除に使用される解除操作の種別、表示情報、候補ルール、及び第１解除条件の関係を示す図である。
【図５】情報処理装置の事前処理における処理装置の動作を示すフローチャートである。
【図６】事前処理において表示装置に表示される画面の遷移の一例を示す説明図である。
【図７】情報処理装置のロック解除処理における処理装置の動作を示すフローチャートである。
【図８】ロック解除処理において表示装置に表示される画面の遷移の一例を示す説明図である。
【発明を実施するための形態】
【０００８】
[１．実施形態]
図１は、実施形態に係る情報処理装置１００の全体構成を示すブロック図である。以下の説明では、情報処理装置１００としてスマートフォンを想定する。但し、情報処理装置１００は、例えば、ウェアラブル機器及びタブレット端末等の可搬型の情報端末であってもよい。
【０００９】
情報処理装置１００は、処理装置１１０、記憶装置１３０、通信装置１５０、入力装置１６０、表示装置１７０、慣性センサー１８０及びバッテリー１９０を備える。情報処理装置１００の各要素は、情報を通信するための単体又は複数のバスで相互に接続される。なお、本明細書における「装置」という用語は、回路、デバイス又はユニット等の他の用語に読替えてもよい。また、情報処理装置１００の各要素は、単数又は複数の機器で構成され、情報処理装置１００の一部の要素は省略されてもよい。
【００１０】
処理装置１１０は、情報処理装置１００の全体を制御するプロセッサであり、例えば、単数又は複数のチップで構成される。処理装置１１０は、例えば、周辺装置とのインタフェース、演算装置及びレジスタ等を含む中央処理装置（ＣＰＵ：Central Processing Unit）で構成される。なお、処理装置１１０の機能の一部又は全部を、ＤＳＰ（Digital Signal Processor）、ＡＳＩＣ（Application Specific Integrated Circuit）、ＰＬＤ（Programmable Logic Device）、ＦＰＧＡ（Field Programmable Gate Array）等のハードウェアによって実現してもよい。処理装置１１０は、各種の処理を並列的又は逐次的に実行する。
【００１１】
処理装置１１０は、例えば、記憶装置１３０から制御プログラムＰＲ１を読み出して実行することによって、ロック処理部１２０として機能する。なお、制御プログラムＰＲ１は、ネットワークを介して他の装置から送信されてもよい。ロック処理部１２０は、情報処理装置１００のロック状態を管理する。
【００１２】
ロック状態とは、情報処理装置１００によってユーザに提供される機能の一部が制限されることを意味する。ユーザに提供される機能には、ロック状態を解除する機能とロック状態が解除された状態においてユーザに提供される機能が含まれる。ロック状態が解除された状態においてユーザに提供される機能には、例えば、ユーザがデータを入力する機能、ユーザの操作に応じて表示装置１７０に画像を表示する機能等が含まれる。
【００１３】
図１のロック処理部１２０内に示した設定部１２２、決定部１２４、生成部１２６及び解除部１２８は、ロック処理部１２０の機能ブロックの一例である。ロック処理部１２０の詳細は、図４で説明する。
【００１４】
記憶装置１３０は、処理装置１１０が読取可能な記録媒体であり、処理装置１１０が実行する制御プログラムＰＲ１を含む複数のプログラム、及び処理装置１１０が使用する各種のデータ（例えば、候補ルールデータＤ１、第１条件データＤ２、第２条件データＤ３等）を記憶する。記憶装置１３０は、例えば、ＲＯＭ（Read  Only  Memory）、ＥＰＲＯＭ（Erasable  Programmable  ＲＯＭ）、ＥＥＰＲＯＭ（Electrically  Erasable  Programmable  ＲＯＭ）、ＲＡＭ（Random  Access  Memory）等の少なくとも１つによって構成されてもよい。記憶装置１３０は、レジスタ、キャッシュ、メインメモリ（主記憶装置）等と呼ばれてもよい。
【００１５】
通信装置１５０は、他の装置と通信を行うためのハードウェア（送受信デバイス）である。通信装置１５０は、例えば、ネットワークデバイス、ネットワークコントローラ、ネットワークカード、通信モジュール等とも呼ばれる。通信装置１５０は、例えば、周波数分割複信（ＦＤＤ：Frequency  Division  Duplex）及び時分割複信（ＴＤＤ：Time  Division  Duplex）の一方又は両方を実現するために、高周波スイッチ、デュプレクサ、フィルタ、周波数シンセサイザ等を含んで構成されてもよい。
【００１６】
入力装置１６０は、外部からの入力を受付けるデバイスである。例えば、入力装置１６０は、数字及び文字等の符号を処理装置１１０に入力するための操作と、情報処理装置１００の表示面に表示されるアイコンを選択するための操作とを受付ける。例えば、後述する表示装置１７０の表示面に対する接触を検出するタッチパネルが入力装置１６０として好適である。なお、入力装置１６０は、ユーザが操作可能な複数の操作子を含んでもよい。入力装置１６０はユーザの操作に応じた入力情報を出力する。
【００１７】
表示装置１７０は、画像を表示するデバイスであり、表示部に相当する。表示装置１７０は、処理装置１１０による制御のもとで各種の画像を表示する。例えば、液晶表示パネル及び有機ＥＬ（Electro  Luminescence）表示パネル等の各種の表示パネルが表示装置１７０として好適に利用される。なお、タッチパネルと表示装置１７０は、一体であってもよい。
【００１８】
慣性センサー１８０は、装置本体の姿勢及び動きの一方又は両方を検出するために用いられるセンサーである。慣性センサー１８０の動作等については、図３で説明する。
【００１９】
バッテリー１９０は、充電により電力を蓄える二次電池であり、情報処理装置１００の電源として機能する。例えば、バッテリー１９０は、処理装置１１０、記憶装置１３０、通信装置１５０、入力装置１６０、表示装置１７０及び慣性センサー１８０等に電力を供給する。バッテリー１９０に蓄えられた電力の残量（以下、バッテリーの残量とも称する）は、例えば、表示装置１７０に表示される。
【００２０】
図２は、情報処理装置１００のロック状態における概観を示す平面図である。この例では、表示装置１７０に表示される表示情報は、時刻を示す時刻情報Ｘ１、日付けを示す日付情報Ｘ２、バッテリーの残量を示す残量情報Ｘ３及び受信した電波の強度を示す電波強度情報Ｘ４を含む。電波強度情報Ｘ４は、電波の強度を４段階で表示する。電波の強度が１番強いランク１では３個のバーが表示され、電波の強度が２番目に強いランク２では２個のバーが表示され、電波の強度が３番目に強いランク３では１個のバーが表示され、電波の強度が最も弱いランク４では、バーが表示されない。また、表示装置１７０にはロック解除ボタンＢ１が表示される。ユーザがロック解除ボタンＢ１をタップすると、ロック状態を解除する処理が開始される。
【００２１】
図３は、慣性センサー１８０の概要を説明するための説明図である。慣性センサー１８０は、装置本体に作用する慣性力に基づく情報を出力する。慣性センサー１８０は、角加速度を検出するジャイロセンサー及び加速度を検出する加速度センサーを備える。
【００２２】
ジャイロセンサーは、互いに直交する３軸の角加速度を検出する。例えば、ジャイロセンサーは、図３に示すようにＸ軸、Ｙ軸、Ｚ軸を回転の中心軸とする角加速度を検出する。Ｘ軸は表示装置１７０の短手方向と平行な軸であり、Ｙ軸は表示装置１７０の長手方向と平行な軸であり、Ｚ軸は表示装置１７０の表示画面に対して法線方向と平行な軸である。Ｚ軸回りの角加速度は、ユーザが表示装置１７０を視認可能な状態における装置本体の回転に関する。したがって、ジャイロセンサーの出力情報に基づいて、装置本体の姿勢を示す姿勢情報を生成することができる。
【００２３】
加速度センサーは、互いに直交する３軸の加速度を検出する。例えば、加速度センサーは、図３に示すＸ軸方向、Ｙ軸方向、Ｚ軸方向の加速度を検出する。加速度センサーの出力情報に基づいて、装置本体の動きを示す動き情報を生成することができる。慣性センサー１８０から出力される出力情報は、例えば、ロック処理部１２０で使用される。
【００２４】
次に、図４を参照して、ロック処理部１２０の動作を説明する。図４は、ロック状態を解除するために必要な解除操作の種別、ロック状態を解除する際にユーザが参照すべき表示情報、候補ルール、及び第１解除条件の関係を示す図である。図４の内容を説明する前に、ロック処理部１２０の概要を説明する。
【００２５】
ロック処理部１２０は、設定部１２２、決定部１２４、生成部１２６及び解除部１２８を備える。ロック処理部１２０は、情報処理装置１００のロック状態を管理する。本実施形態のロック状態の解除に関する処理は、事前処理とロック解除処理に大別される。ロック解除処理では、ロック状態で表示装置１７０に表示される表示情報をユーザが認識し、表示情報から特定される装置本体の姿勢又は動きをユーザが実行し、さらにパスワード等をユーザが入力することによって、ロック状態が解除される。また、事前処理では、表示情報とロック状態の解除に必要な装置本体の姿勢又は動きとの関係を規定するルールを定める。以下の説明では、表示情報から特定される装置本体の姿勢又は動きを第１解除条件、パスワード等をユーザが入力することを第２解除条件と称する。
【００２６】
設定部１２２は、ロック状態において表示装置１７０に表示される表示情報と、ロック状態を解除するために必要な装置本体の姿勢又は動きとの関係を定める決定ルールを設定する。詳細には、複数の候補ルールの中から、ユーザが選択した一つの候補ルールが決定ルールとして設定される。
【００２７】
複数の候補ルールは、装置本体の姿勢に関する候補ルールと、装置本体の動きに関する候補ルールに大別される。
【００２８】
装置本体の姿勢に関する候補ルールは、表示情報に基づく数値に所定の演算を適用して得られる結果と、装置本体の複数の姿勢のうちいずれか一つの姿勢を対応付ける。所定の演算は、例えば、表示情報に基づく数値ａを被除数とし、複数の姿勢数ｎを除数とする剰余演算（ａ ｍｏｄ ｎ）であってもよい。なお、装置本体の姿勢に関する候補ルールを決定ルールとする場合、決定ルールは表示情報に基づいて、装置本体の複数の姿勢の中から、一の姿勢を決定する方法を規定する。
【００２９】
本実施形態では、図４に示すように、装置本体の姿勢に関して４つの候補ルールＲ１〜Ｒ４を想定する。候補ルールＲ１は、表示情報に含まれる時刻情報Ｘ１に応じて装置本体の回転角度を規定する。具体的には、時刻情報Ｘ１の一の位（分を示す情報の下１桁）を４で割った余り（０、１、２、３）にそれぞれ装置本体の回転角度を割り当てる。
【００３０】
候補ルールＲ２は、表示情報に含まれる日付情報Ｘ２に応じて装置本体の回転角度を規定する。具体的には、日付情報Ｘ２の一の位（日を示す情報の下１桁）を４で割った余り（０、１、２、３）にそれぞれ装置本体の回転角度を割り当てる。
【００３１】
候補ルールＲ３は、表示情報に含まれる残量情報Ｘ３に応じて装置本体の回転角度を規定する。具体的には、残量情報Ｘ３の一の位を４で割った余り（０、１、２、３）にそれぞれ装置本体の回転角度を割り当てる。
【００３２】
候補ルールＲ４は、表示情報に含まれる電波強度情報Ｘ４に応じて装置本体の回転角度を規定する。具体的には、電波強度情報Ｘ４がランク４の場合は初期位置、電波強度情報Ｘ４がランク１の場合は右９０度回転、電波強度情報Ｘ４がランク２の場合は右１８０度回転、電波強度情報Ｘ４がランク３の場合は右２７０度回転を割り当てる。
【００３３】
また、候補ルールＲ１〜Ｒ３において、回転角度の割り当ては、例えば、余りが「０」の場合は初期位置、余りが「１」の場合は右９０度回転、余りが「２」の場合は右１８０度回転、余りが「３」の場合は右２７０度回転とされる。
【００３４】
次に、実施形態では、装置本体の動作に関して４つの候補ルールＲ５〜Ｒ８を想定する。また、装置本体の動作は、装置本体が振られることを想定する。なお、装置本体の動作に関する候補ルールを決定ルールとする場合、決定ルールは表示情報に基づいて、装置本体が振られる回数を決定する方法を規定する。
候補ルールＲ５は、表示情報に含まれる時刻情報Ｘ１に応じて装置本体が振られる回数を規定する。具体的には、候補ルールＲ５（第４の候補ルール）は時刻情報Ｘ１の一の位（分を示す情報の下１桁）の数を装置本体が振られる回数とする。
【００３５】
候補ルールＲ６は、表示情報に含まれる日付情報Ｘ２に応じて装置本体が振られる回数を規定する。具体的には、候補ルールＲ６（第５の候補ルール）は、日付情報Ｘ２の一の位（日を示す情報の下１桁）の数を装置本体が振られる回数とする。
【００３６】
候補ルールＲ７は、表示情報に含まれる残量情報Ｘ３に応じて装置本体が振られる回数を規定する。具体的には、候補ルールＲ７（第６の候補ルール）は、残量情報Ｘ３の一の位の数を装置本体が振られる回数とする。
【００３７】
候補ルールＲ８は、表示情報に含まれる電波強度情報Ｘ４に応じて装置本体が振られる回数を規定する。具体的には、候補ルールＲ８は、電波強度情報Ｘ４のランク数を装置本体が振られる回数とする。
【００３８】
候補ルールＲ１〜Ｒ８の内容を示す候補ルールデータＤ１は記憶装置１３０に格納される。また、複数の候補ルールＲ１〜Ｒ８の中から選択された決定ルールを示す第１条件データＤ２が記憶装置１３０に記憶される。
【００３９】
装置本体の姿勢とは、装置本体の向いている方向を意味する。また、姿勢は相対的な姿勢であってもよいし、絶対的な姿勢であってもよい。
相対的な姿勢は、基準となる装置本体の向く方向に対する装置本体の向く方向を意味する。例えば、装置本体の姿勢が相対的な姿勢を意味する場合、ある時刻の装置本体の向く方向を基準として、現在の装置本体の向く方向が、装置本体の姿勢となる。
【００４０】
決定部１２４は、ロック状態において、所定の操作が検出される度に、表示情報と設定された決定ルール（例えば、複数の候補ルールＲ１〜Ｒ８の中から選択されたルール）とに基づいて、第１解除条件を決定する。第１解除条件は、ロック状態を解除するための条件であって装置本体の姿勢又は動きを規定する。所定の操作は、ロック状態の解除の契機となる予め定められた操作である。例えば、入力装置１６０のロック解除ボタンＢ１をタップする操作が該当する。表示装置１７０に表示される表示情報のうち時刻情報Ｘ１、日付情報Ｘ２、及び残量情報Ｘ３は、時間が経過すると変化する。また、表示情報のうち電波強度情報Ｘ４は装置本体の置かれる環境によって変化する。決定部１２４は、ロック状態において変化する表示情報に基づいて、第１解除条件を決定するので、ルールが固定であっても、第１解除条件を変化させることができる。
【００４１】
例えば、ロック状態において、表示装置１７０の表示画面が、図２示されるものであり、設定部１２２によって候補ルールＲ１がルールとして設定されている場合を想定する。この場合、時刻情報Ｘ１の一の位は「５」であるので、時刻情報Ｘ１の一の位を「４」で割った余りは、「１」となる。したがって、第１解除条件は、装置本体を右に９０度回転させることになる。
【００４２】
生成部１２６は慣性センサー１８０の出力情報に基づいて、装置本体の姿勢を示す姿勢情報と装置本体の動きを示す動き情報を生成する。
【００４３】
解除部１２８は、ロック状態において、所定の操作後の装置本体の姿勢及び動きの一方が第１解除条件を充足し、且つ、装置本体に対する入力が予め設定された第２解除条件を充足する場合に、ロック状態を解除する。
【００４４】
第２解除条件は、例えば、パターン認証において、ユーザが正しいパターンを入力すること、あるいは、パスワード認証においてユーザが正しいパスワードを入力することである。第２解除条件を示す第２条件データＤ３は、記憶装置１３０に記憶されている。第２条件データＤ３は、ロック解除に用いられる認証情報である。認証情報は、パスワード認証ではパスワードであり、パターン認証ではパターンであり、指紋認証では指紋の特徴を示す指紋情報であり、顔認証では顔の特徴を示す顔情報である。
【００４５】
具体的には、解除部１２８は、生成部１２６で生成された姿勢情報又は動き情報に基づいて、第１解除条件を充足するかを判定する。さらに、解除部１２８は入力装置１６０から出力される入力情報と記憶装置１３０から読み出した第２条件データＤ３で示される認証情報とを比較し、入力情報と認証情報とが一致する場合に、第２解除条件を充足すると判定する。そして、解除部１２８は、第１解除条件及び第２解除条件を充足する場合に、ロック状態を解除する。
【００４６】
次に、情報処理装置１００のロック状態の解除に関する動作を、事前処理とロック解除処理に分けて説明する。図５は、情報処理装置１００の事前処理における処理装置１１０の動作を示すフローチャートである。図６は、事前処理において表示装置１７０に表示される画面の遷移の一例を示す説明図である。事前処理において処理装置１１０は設定部１２２として機能する。
【００４７】
ユーザが入力装置１６０を操作してルール設定を選択すると、ステップＳ１００において処理装置１１０は解除操作の選択画面を表示装置１７０に表示させる。この際、表示装置１７０は、図６の左上に示す表示画面を表示する。この表示画面には、解除操作の種別として、「回転操作」と「シェイク操作」とが表示される。「回転操作」は、装置本体の姿勢に該当し、「シェイク操作」は装置本体の動きに該当する。ユーザは表示装置１７０に表示される「回転操作」の表示領域、又は「シェイク操作」の表示領域をタップすることによって、解除操作の種別を選択することができる。
【００４８】
ステップＳ１１０において、処理装置１１０は入力装置１６０から出力される入力情報に基づいて、ユーザが選択した解除操作を取得する。ステップＳ１２０において、処理装置１１０は、ユーザが選択した解除操作に応じた複数の解除方法を表示装置１７０に表示させる。この際、表示装置１７０は、図６の右上に示す表示画面を表示する。この表示画面には、複数の解除方法として、「時刻（分）」に基づく解除方法、「日付（日）」に基づく解除方法、「バッテリー残量（％）」に基づく解除方法、「電波強度（ランク）」に基づく解除方法が表示される。ユーザは表示装置１７０に表示される「時刻（分）」の表示領域、「日付（日）」の表示領域、「バッテリー残量（％）」の表示領域、又は「電波強度（ランク）」の表示領域をタップすることによって、解除方法の種別を選択することができる。
【００４９】
ステップＳ１３０において、処理装置１１０は入力装置１６０から出力される入力情報に基づいて、ユーザが選択した解除方法を取得する。ステップＳ１４０において、処理装置１１０は、ユーザが選択した解除操作及び解除方法に応じた候補ルールを表示装置１７０に表示させる。例えば、図６の右上に示す表示画面において、ユーザが「時刻（分）」の表示領域をタップして、「時刻（分）」に基づく解除方法を選択した場合、表示装置１７０は、図６の右下に示す表示画面を表示する。この表示画面には、候補ルールとして「時刻（分）」を４で割った余りに応じて、装置本体を回転させることでロック状態が解除されることが表示される。より具体的には、余りが「０」の場合に回転無し、余りが「１」の場合に右に９０度回転、余りが「２」の場合に右に１８０度回転、余りが「３」の場合に右に２７０度回転させることが示される。この表示によってユーザは、候補ルールを知ることができる。また、ユーザは表示装置１７０に表示される「設定？」の表示領域をタップすることによって、候補ルールを選択することができる。一方、ユーザは表示装置１７０に表示される「戻る？」の表示領域をタップすることによって、図６の左上に示す表示画面に戻すことができる。
【００５０】
ステップＳ１５０において、処理装置１１０は入力装置１６０から出力される入力情報に基づいて、ユーザが候補ルールを選択したか否かを判定する。ステップＳ１５０の判定結果が否定の場合、処理装置１１０は処理をステップＳ１００に戻す。例えば、図６の右下に示す表示画面において「戻る？」の表示領域がタップされた場合が該当する。
【００５１】
一方、ステップＳ１５０の判定結果が肯定の場合、処理装置１１０は処理をステップＳ１６０に進める。例えば、図６の右下に示す表示画面において「設定？」の表示領域がタップされた場合が該当する。ステップＳ１６０において処理装置１１０は、選択された候補ルールを決定ルールとして設定する。より具体的には、処理装置１１０は選択された候補ルールである決定ルールを示す第１条件データＤ２を記憶装置１３０に記憶する。なお、第１条件データＤ２は、決定ルールの内容を示すものであってもよいし、あるいは、選択された候補ルールに対応付けたフラグであってもよい。要は、第１条件データＤ２は決定ルールを特定できるのであれば、どのような形式であってよい。
【００５２】
ステップＳ１７０において、処理装置１１０は決定ルールが設定されたことを示す完了画面を表示装置１７０に表示させる。例えば、例えば、図６の左下に示す表示画面が表示装置１７０に表示される。この表示によって、ユーザは決定ルールが設定されたことを知ることができる。
【００５３】
次に、ロック解除処理について説明する。図７は、情報処理装置１００のロック解除処理における処理装置１１０の動作を示すフローチャートである。図８は、ロック解除処理において表示装置１７０に表示される画面の遷移の一例を示す説明図である。
【００５４】
ステップＳ２００において、処理装置１１０は決定部１２４として機能し、入力装置１６０から出力される入力情報に基づいて、所定の操作が検出されたか否かを判定する。所定の操作は、例えば、図８において、表示装置１７０の表示画面に表示されるロック解除ボタンＢ１をタップすることである。所定の操作が検出された場合、判定結果は肯定となり、処理装置１１０は処理をステップＳ２１０に進める。また、図８に示す例では、表示装置１７０の表示画面が図８の上中央に示す表示画面へ遷移する。なお、この例では、第２解除条件は予め定められたパターンを入力するパターン認証を採用する。パターン認証では、ユーザのタッチの軌跡が、図８に示すマークＭ１〜Ｍ８を予め定められた順序でなぞる必要がある。
【００５５】
ステップＳ２１０において、処理装置１１０は決定部１２４として機能し、表示情報及び決定ルールに基づいて、第１解除条件を決定する。処理装置１１０は第１条件データＤ２を参照して、決定ルールを取得する。例えば、表示装置１７０に表示される表示情報が図８に示されるものであり、候補ルールＲ３が決定ルールであるとする。この場合、残量情報Ｘ３の一の位は「１」であるので、第１解除条件は装置本体を右に９０度回転することである。
【００５６】
ステップＳ２２０において、処理装置１１０はユーザによるロック解除の操作が終了したか否かを判定する。ステップＳ２２０の判定結果が肯定である場合、処理装置１１０は処理をステップＳ２３０に進める。ステップＳ２３０において、処理装置１１０は生成部１２６及び解除部１２８として機能し、装置本体の姿勢又は動きが第１解除条件を充足するか否かを判定する。例えば、第１解除条件が装置本体を９０度回転させることである場合、生成部１２６で生成された姿勢情報に基づいて、解除部１２８は装置本体が９０度回転したか否かを判定する。
【００５７】
ステップＳ２３０の判定結果が肯定である場合、処理装置１１０は処理をステップＳ２４０に進める。例えば、図８の上右に示すように表示装置１７０を右９０度回転させた場合、ステップＳ２３０の判定結果は肯定となる。
ステップＳ２４０において、処理装置１１０は解除部１２８として機能し、第２解除条件を充足したか否かを判定する。例えば処理装置１１０は入力装置１６０から出力される入力情報の示すタッチの軌跡が、予め定められたパターンであるかを判定する。
【００５８】
ステップＳ２４０の判定結果が肯定である場合、処理装置１１０は処理をステップＳ２５０に進める。ステップＳ２５０において、処理装置１１０は解除部１２８として機能し、ロック状態を解除する。例えば、予め定められたパターンがマークＭ７→マークＭ４→マークＭ１→マークＭ５→マークＭ９→マークＭ６→マークＭ３の順であり、ユーザが図８の右下に示す軌跡でタッチした場合、ロック状態が解除される。この場合、処理装置１１０は表示装置１７０に図８の左下に示す表示画面を表示させてもよい。この表示によって、ユーザはロック状態が解除されたことを知ることができる。
【００５９】
なお、図８に示す例では、マークＭ１〜Ｍ８の位置関係を示す座標系は、装置本体の回転方向と反対方向に回転した座標系に変換される。例えば、図８の上中央に示す表示画面において、マークＭ１〜Ｍ８の位置関係を示す座標系が、マークＭ７を原点とし、第１軸をマークＭ７からマークＭ９に向かう方向と並行な軸とし、第２軸をマークＭ７からマークＭ１に向かう方向と並行な軸とする座標系である場合を想定する。この場合、第１軸は、図３に示したＸ軸と並行であり、第２軸は、図３に示したＹ軸と並行である。そして、図８の右下に示す表示画面では、マークＭ１〜Ｍ８の位置関係を示す座標系は、図８の上中央に示す表示画面におけるマークＭ１〜Ｍ８の位置関係を示す座標系を左９０度回転させた座標系に変換される。具体的には、マークＭ１〜Ｍ８の位置関係を示す座標系は、マークＭ９を原点とし、第１軸をマークＭ９からマークＭ３に向かう方向と並行な軸とし、第２軸をマークＭ９からマークＭ７に向かう方向と並行な軸とする座標系に変換される。この場合、第１軸は、図３に示したＸ軸を左９０度回転させた軸と並行であり、第２軸は、図３に示したＹ軸を左９０度回転させた軸と並行である。
【００６０】
マークＭ１〜Ｍ８の位置関係を示す座標系が、装置本体の回転方向と反対方向に回転した座標系に変換されるため、ユーザは、予め定められたパターンを入力する場合に、マークＭ１〜Ｍ８をなぞる順序、すなわち、入力するパターンの方向を、装置本体の回転方向に合わせて回転させる必要がない。このため、ロック状態を解除する場合に入力するパターンの方向が分からなくなる等の混乱を低減することができる。
【００６１】
一方、ステップＳ２３０又はステップＳ２４０の判定結果が否定である場合、処理装置１１０はロック状態を解除することなく、ロック解除処理を終了する。
【００６２】
以上説明したように、情報処理装置１００は、設定部１２２、決定部１２４、及び解除部１２８を備える。設定部１２２は、ユーザに提供される機能の一部が制限されたロック状態において、表示装置１７０に表示される表示情報と、ロック状態を解除するために必要な装置本体の姿勢及び動きの一方との関係を定める決定ルールを設定する。決定部１２４はロック状態において、所定の操作が検出される度に、表示情報と決定ルールとに基づいて、ロック状態を解除するための条件であって装置本体の姿勢及び動きの一方を規定する第１解除条件を決定する。解除部１２８は、ロック状態において、所定の操作後の情報処理装置の姿勢及び動きの一方が第１解除条件を充足し、且つ、情報処理装置１００に対する入力が予め設定された第２解除条件を充足する場合に、ロック状態を解除する。
【００６３】
ロック状態における表示情報に応じて装置本体の姿勢又は動きを決定する際の決定ルールは、ユーザにより予め設定されている。このため、決定ルールを知らない第三者は、第１解除条件を推測することが困難である。したがって、盗み見等によりパスワードなどの第２解除条件が第三者に知られた場合でも、第三者によりロック状態が解除される危険性を低減することができる。また、ユーザが第１解除条件を充足するために装置本体の姿勢を変更したり、あるいは装置本体を動かしたりする様子を第三者に盗み見されたとしても、第１解除条件は表示情報と決定ルールに基づいて所定の操作が検出される度に決定されるので、表示情報に変更があれば第三者が装置本体の姿勢を同じように変更したり、あるいは装置本体を同じように動かしても第１解除条件を充足しない。よって、情報処理装置１００のセキュリティを向上させることができる。
【００６４】
[２．変形例]
本発明は、以上に例示した実施形態に限定されない。具体的な変形の態様を以下に例示する。以下の例示から任意に選択された２以上の態様を併合してもよい。
【００６５】
[第１変形例]
上述した実施形態では、１解除条件の決定に使用される表示情報は、時刻、日付け、前記装置本体に設けられたバッテリーの残量、及び装置本体で受信する電波の強度の全部であったが、これらの全部又は一部を含むものであってもよい。第１変形例においても、上述した実施形態と同様の効果を得ることができる。
【００６６】
[第２変形例]
上述した実施形態では、候補ルールＲ１〜Ｒ８を採用したが、分情報の十の位が偶数か奇数か、一の位が偶数か奇数かの組み合わせ（偶数・偶数、偶数・奇数、奇数・偶数、奇数・奇数）に装置本体の姿勢（例えば、回転角度）又は装置本体の動き（例えば、振られる回数）を割り当てる候補ルールを採用してもよい。
また、分情報を、０から１４分まで、１５から２９分まで、３０から４４分まで、４５から５９分までの４つに区分し、各区分を装置本体の姿勢（例えば、回転角度）又は装置本体の動き（例えば、振られる回数）を割り当てる候補ルールを採用してもよい。
また、上述した実施形態では、日付情報Ｘ２の「日」の一の位を用いたが、この替わりに「月」の一の位を用いてもよい。
また、上述した実施形態では、残量情報Ｘ３の一の位を用いたが、この替わりに十の位の数を用いてもよい。
第２変形例においても、上述した実施形態と同様の効果を得ることができる。
【００６７】
[第３変形例]
上述した実施形態では、候補ルールＲ１〜Ｒ８を採用したが、設定部１２２は、これらのうち少なくとも１つを含む複数の候補ルールの中から、選択された候補ルールを決定ルールとして設定してもよい。
即ち、設定部１２２は、時刻に基づく数値を第１演算に適用して得られる結果と複数の姿勢のうちいずれか一の姿勢とを対応させた第１の候補ルールと、日付けに基づく数値を第２演算に適用して得られる結果と複数の姿勢のうちいずれか一の姿勢とを対応させた第２の候補ルールと、バッテリーの残量に基づく数値を第３演算に適用して得られる結果と複数の姿勢のうちいずれか一の姿勢とを対応させた第３の候補ルールと、のうちの少なくとも１つを含む複数の候補ルールの中から選択された候補ルールを、決定ルールとして設定してもよい。第３変形例においても、上述した実施形態と同様の効果を得ることができる。
【００６８】
[第４変形例]
上述した実施形態では、マークＭ１〜Ｍ８の位置関係を示す座標系が装置本体の回転方向と反対方向に回転した座標系に変換される例を示したが、マークＭ１〜Ｍ８の位置関係を示す座標系は、固定されていてもよい。したがって、第１変形例では、例えば、図８の右下に示す表示画面におけるマークＭ１〜Ｍ８の位置関係を示す座標系は、図８の上中央に示す表示画面におけるマークＭ１〜Ｍ８の位置関係を示す座標系と同じである。この場合、図８の右上に示す表示画面において、マークＭ１→マークＭ２→マークＭ３→マークＭ５→マークＭ７→マークＭ８→マークＭ９の順になぞられた軌跡が予め定められた正しいパターンとなる。第４変形例においても、上述した実施形態と同様の効果を得ることができる。
【００６９】
[第５変形例]
上述した実施形態では、複数の候補ルールＲ１〜Ｒ８の中から１つのルールが決定ルールとして選択される例を示したが、候補ルールＲ１〜Ｒ４の中から選択した１つのルールと候補ルールＲ５〜Ｒ８の中から選択した１つのルールとを組み合わせたルールが決定ルールに設定されてもよい。例えば、候補ルールＲ３と候補ルールＲ７との組み合わせたルールが決定ルールとして設定されてもよい。この場合、第１解除条件は、残量情報Ｘ３に応じて割り当てられた回転角度で装置本体を回転させることと、残量情報Ｘ３の下１桁の数だけ装置本体が振られることである。図８に示す例では、表示装置１７０を右９０度回転させた状態で、装置本体が１回振られた場合、図７のステップＳ２３０の判定結果は肯定となる。なお、決定ルールで使用される表示要素（例えば、時刻情報Ｘ１、日付情報Ｘ２、残量情報Ｘ３及び電波強度情報Ｘ４）は、解除操作の種別（例えば、回転及びシェイク）によって異なっていてもよい。第５変形例においても、上述した実施形態と同様の効果を得ることができる。
【００７０】
即ち、設定部１２２は、ロック状態において、表示装置１７０に表示される表示情報と、ロック状態を解除するために必要な装置本体の姿勢及び動きの一方だけでなく、装置本体の姿勢及び動きの両方との関係を定める決定ルールを設定してもよい。また、決定部１２４が決定する第１解除条件は、ロック状態を解除するための条件であって装置本体の姿勢及び動きの一方又は両方を規定するものであってもよい。
また、決定ルールは、表示情報に含まれる複数の表示要素のうち一の表示要素に基づいて、装置本体の複数の姿勢の中から一の姿勢を決定し、且つ、複数の表示要素のうち一の表示要素と異なる表示要素に基づいて、装置本体が振られる回数を決定する方法を規定してもよい。
【００７１】
[３．その他]
（１）上述した実施形態では、記憶装置１３０は、処理装置１１０が読取可能な記録媒体であり、ＲＯＭ及びＲＡＭなどを例示したが、フレキシブルディスク、光磁気ディスク(例えば、コンパクトディスク、デジタル多用途ディスク、Ｂｌｕ−ｒａｙ（登録商標）ディスク)、スマートカード、フラッシュメモリデバイス(例えば、カード、スティック、キードライブ)、ＣＤ−ＲＯＭ（Compact  Disc−ＲＯＭ）、レジスタ、リムーバブルディスク、ハードディスク、フロッピー（登録商標）ディスク、磁気ストリップ、データベース、サーバその他の適切な記憶媒体である。また、プログラムは、電気通信回線を介してネットワークから送信されてもよい。また、プログラムは、電気通信回線を介して通信網から送信されてもよい。
【００７２】
（２）上述した実施形態において、説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【００７３】
（３）上述した実施形態において、入出力された情報等は特定の場所（例えば、メモリ）に保存されてもよいし、管理テーブルを用いて管理してもよい。入出力される情報等は、上書き、更新、又は追記され得る。出力された情報等は削除されてもよい。入力された情報等は他の装置へ送信されてもよい。
【００７４】
（４）上述した実施形態において、判定は、１ビットで表される値（０か１か）によって行われてもよいし、真偽値（Boolean：true又はfalse）によって行われてもよいし、数値の比較（例えば、所定の値との比較）によって行われてもよい。
【００７５】
（５）上述した実施形態において例示した処理手順、シーケンス、フローチャートなどは、矛盾の無い限り、順序を入れ替えてもよい。例えば、本開示において説明した方法については、例示的な順序を用いて様々なステップの要素を提示しており、提示した特定の順序に限定されない。
【００７６】
（６）図１に例示された各機能は、ハードウェア及びソフトウェアの少なくとも一方の任意の組み合わせによって実現される。また、各機能ブロックの実現方法は特に限定されない。すなわち、各機能ブロックは、物理的又は論理的に結合した１つの装置を用いて実現されてもよいし、物理的又は論理的に分離した２つ以上の装置を直接的又は間接的に（例えば、有線、無線などを用いて）接続し、これら複数の装置を用いて実現されてもよい。機能ブロックは、上記１つの装置又は上記複数の装置にソフトウェアを組み合わせて実現されてもよい。
【００７７】
また、通信装置１５０は、有線ネットワーク及び無線ネットワークの少なくとも一方を介してコンピュータ間の通信を行うためのハードウェア（送受信デバイス）であり、例えばネットワークデバイス、ネットワークコントローラ、ネットワークカード、通信モジュールなどともいう。通信装置１５０は、例えば、周波数分割複信（ＦＤＤ：Frequency  Division  Duplex）及び時分割複信（ＴＤＤ：Time  Division  Duplex）の少なくとも一方を実現するために、高周波スイッチ、デュプレクサ、フィルタ、周波数シンセサイザなどを含んで構成されてもよい。
【００７８】
（７）上述した実施形態で例示したプログラムは、ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【００７９】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び無線技術（赤外線、マイクロ波など）の少なくとも一方を使用してウェブサイト、サーバ、又は他のリモートソースから送信される場合、これらの有線技術及び無線技術の少なくとも一方は、伝送媒体の定義内に含まれる。
【００８０】
（８）前述の各形態において、「システム」及び「ネットワーク」という用語は、互換的に使用される。
【００８１】
（９）本開示において説明した情報、パラメータなどは、絶対値を用いて表されてもよいし、所定の値からの相対値を用いて表されてもよいし、対応する別の情報を用いて表されてもよい。例えば、無線リソースはインデックスによって指示されるものであってもよい。上述したパラメータに使用する名称はいかなる点においても限定的な名称ではない。さらに、これらのパラメータを使用する数式等は、本開示で明示的に開示したものと異なる場合もある。様々なチャネル（例えば、ＰＵＣＣＨ、ＰＤＣＣＨなど）及び情報要素は、あらゆる好適な名称によって識別できるので、これらの様々なチャネル及び情報要素に割り当てている様々な名称は、いかなる点においても限定的な名称ではない。
【００８２】
（１０）上述した実施形態において、情報処理装置１００は、移動局（ＭＳ：Mobile  Station）である場合が含まれる。移動局は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、又はいくつかの他の適切な用語で呼ばれる場合もある。また、本開示においては、「移動局」、「ユーザ端末（user  terminal）」、「ユーザ装置（ＵＥ：User  Equipment）」、「端末」等の用語は、互換的に使用され得る。
【００８３】
（１１）上述した実施形態において、「接続された(connected)」、「結合された(coupled)」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。例えば、「接続」は「アクセス」で読み替えられてもよい。本開示で使用する場合、２つの要素は、１又はそれ以上の電線、ケーブル及びプリント電気接続の少なくとも一つを用いて、並びにいくつかの非限定的かつ非包括的な例として、無線周波数領域、マイクロ波領域及び光（可視及び不可視の両方）領域の波長を有する電磁エネルギーなどを用いて、互いに「接続」又は「結合」されると考えることができる。
【００８４】
（１２）上述した実施形態において、「に基づいて」という記載は、別段に明記されていない限り、「のみに基づいて」を意味しない。言い換えれば、「に基づいて」という記載は、「のみに基づいて」と「に少なくとも基づいて」の両方を意味する。
【００８５】
（１３）本開示で使用する「判断(determining)」、「決定(determining)」という用語は、多種多様な動作を包含する場合がある。「判断」、「決定」は、例えば、判定(judging)、計算(calculating)、算出(computing)、処理(processing)、導出(deriving)、調査(investigating)、探索(looking  up、search、inquiry)（例えば、テーブル、データベース又は別のデータ構造での探索）、確認(ascertaining)した事を「判断」「決定」したとみなす事などを含み得る。また、「判断」、「決定」は、受信(receiving)（例えば、情報を受信すること）、送信(transmitting)(例えば、情報を送信すること)、入力(input)、出力(output)、アクセス(accessing)（例えば、メモリ中のデータにアクセスすること）した事を「判断」「決定」したとみなす事などを含み得る。また、「判断」、「決定」は、解決(resolving)、選択(selecting)、選定(choosing)、確立(establishing)、比較(comparing)などした事を「判断」「決定」したとみなす事を含み得る。つまり、「判断」「決定」は、何らかの動作を「判断」「決定」したとみなす事を含み得る。また、「判断（決定）」は、「想定する（assuming）」、「期待する（expecting）」、「みなす（considering）」などで読み替えられてもよい。
【００８６】
（１４）上述した実施形態において、「含む（include）」、「含んでいる（including）」及びそれらの変形が使用されている場合、これらの用語は、用語「備える（comprising）」と同様に、包括的であることが意図される。さらに、本開示において使用されている用語「又は（or）」は、排他的論理和ではないことが意図される。
【００８７】
（１５）本開示において、例えば、英語でのa,  an及びtheのように、翻訳により冠詞が追加された場合、本開示は、これらの冠詞の後に続く名詞が複数形であることを含んでもよい。
【００８８】
（１６）本開示において、「ＡとＢが異なる」という用語は、「ＡとＢが互いに異なる」ことを意味してもよい。なお、当該用語は、「ＡとＢがそれぞれＣと異なる」ことを意味してもよい。「離れる」、「結合される」等の用語も、「異なる」と同様に解釈されてもよい。
【００８９】
（１７）本開示において説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【００９０】
以上、本開示について詳細に説明したが、当業者にとっては、本開示が本開示中に説明した実施形態に限定されるものではないということは明らかである。本開示は、請求の範囲の記載により定まる本開示の趣旨及び範囲を逸脱することなく修正及び変更態様として実施することができる。したがって、本開示の記載は、例示説明を目的とするものであり、本開示に対して何ら制限的な意味を有するものではない。
【符号の説明】
【００９１】
１００…情報処理装置、１１０…処理装置、１２０…ロック処理部、１２２…設定部、１２４…決定部、１２６…生成部、１２８…解除部、１３０…記憶装置、１５０…通信装置、１６０…入力装置、１７０…表示装置、１８０…慣性センサー、１９０…バッテリー。
【図１】
2020119418.tif 000003
【図２】
2020119418.tif 000004
【図３】
2020119418.tif 000005
【図４】
2020119418.tif 000006
【図５】
2020119418.tif 000007
【図６】
2020119418.tif 000008
【図７】
2020119418.tif 000009
【図８】
2020119418.tif 000010